(57)【要約】【課題】第一の通信ネットワークの第一の通信制御装置が利用不可になり、第一の通信ネットワークを介して通信が行えなくなったなら、その代わりに、第二の通信ネットワークを介して通信を行えるようにする。【解決手段】第一の通信制御装置１１が利用不可になったなら（Ｓ３）、第二の通信制御装置２１に対し、第一の通信ネットワーク１の加入者の通信を行うための条件を含む通信許容要求信号を送信しておき（Ｓ９−１）、通信要求が受信され（Ｓ２３）、通信要求が条件を充足したなら、つまり、条件内の加入者識別子に一致する送信者識別子が通信要求に含まれているなら、通信要求を送信した通信端末１０１が通信を行えるように制御する（Ｓ３３）。【選択図】図２
2014014036.tif 000002
【特許請求の範囲】
【請求項１】
１つのエリアに対して通信を提供する第一の通信制御装置および第一の加入者情報管理装置を備える第一の通信ネットワークと、前記エリアに対して通信を提供する第二の通信制御装置および第二の加入者情報管理装置を備える第二の通信ネットワークとを含み、
前記第一の加入者情報管理装置は、
前記第一の通信制御装置が利用不可になったか否かを監視する死活監視機能部と、
前記第一の通信制御装置が利用不可になったなら、前記第二の通信制御装置に対し、前記第一の通信ネットワークの加入者の通信を行うための条件を含む通信許容要求信号を送信する加入者情報管理機能部とを有し、
前記第二の通信制御装置は、
前記通信許容要求信号内の条件を記憶するとともに、前記第二の通信制御装置で通信要求が受信されたなら、当該通信要求が当該条件を充足するか否かを判定する条件記憶部と、
前記通信要求が条件を充足したなら、前記通信要求を送信した通信端末が通信を行えるように制御する通信制御機能部とを有する
ことを特徴とする通信システム。
【請求項２】
前記条件は、前記加入者を示す加入者識別子を含み、
前記条件記憶部は、前記条件内の加入者識別子に一致する送信者識別子が前記通信要求に含まれているか否かを判定する
ことを特徴とする請求項１記載の通信システム。
【請求項３】
前記条件は、前記エリアに含まれる位置を示す位置情報を含み、
前記条件記憶部は、前記条件内の位置情報により示される位置と同じ位置から前記通信要求が送信されたことを示す情報が前記通信要求に含まれているか否かを判定する
ことを特徴とする請求項１記載の通信システム。
【請求項４】
１つのエリアに対して通信を提供する第一の通信制御装置および第一の加入者情報管理装置を備える第一の通信ネットワークと、前記エリアに対して通信を提供する第二の通信制御装置および第二の加入者情報管理装置を備える第二の通信ネットワークとを含み、
前記第一の加入者情報管理装置は、
前記第一の通信制御装置が利用不可になったか否かを監視する死活監視機能部と、
前記第一の通信制御装置が利用不可になったなら、前記第二の加入者情報管理装置に対し、前記第一の通信ネットワークの加入者の加入者情報を送信する加入者情報管理機能部とを有し、
前記第二の加入者情報管理装置は、
前記加入者情報を受信し記憶し受信完了通知を前記第二の通信制御装置に送信する加入者情報記憶部を有し、
前記第二の通信制御装置は、
前記受信完了通知を受信後、通信要求を受信したなら、前記第二の加入者情報管理装置の加入者情報記憶部から加入者情報を取得し、当該加入者情報を用いて、前記通信要求を送信した通信端末が通信を行えるように制御する通信制御機能部を有する
ことを特徴とする通信システム。
【請求項５】
１つのエリアに対して通信を提供する第一の通信制御装置および第一の加入者情報管理装置を備える第一の通信ネットワークと、前記エリアに対して通信を提供する第二の通信制御装置および第二の加入者情報管理装置を備える第二の通信ネットワークとを含む通信システムの動作方法であって、
前記第一の加入者情報管理装置の死活監視機能部が、前記第一の通信制御装置が利用不可になったか否かを監視する工程と、
前記第一の加入者情報管理装置の加入者情報管理機能部が、前記第一の通信制御装置が利用不可になったなら、前記第二の通信制御装置に対し、前記第一の通信ネットワークの加入者の通信を行うための条件を含む通信許容要求信号を送信する工程と、
前記第二の通信制御装置の条件記憶部が、前記通信許容要求信号内の条件を記憶する工程と、
前記第二の通信制御装置の条件記憶部が、前記第二の通信制御装置で通信要求が受信されたなら、前記通信要求が当該条件を充足するか否かを判定する工程と、
前記第二の通信制御装置の通信制御機能部が、前記通信要求が条件を充足したなら、前記通信要求を送信した通信端末が通信を行えるように制御する工程と
を含むことを特徴とする通信システムの動作方法。
【請求項６】
１つのエリアに対して通信を提供する第一の通信制御装置および第一の加入者情報管理装置を備える第一の通信ネットワークと、前記エリアに対して通信を提供する第二の通信制御装置および第二の加入者情報管理装置を備える第二の通信ネットワークとを含む通信システムの動作方法であって、
前記第一の加入者情報管理装置の死活監視機能部が、前記第一の通信制御装置が利用不可になったか否かを監視する工程と、
前記第一の加入者情報管理装置の加入者情報管理機能部が、前記第一の通信制御装置が利用不可になったなら、前記第二の加入者情報管理装置に対し、前記第一の通信ネットワークの加入者の加入者情報を送信する工程と、
前記第二の加入者情報管理装置の加入者情報記憶部が、前記加入者情報を受信し記憶し受信完了通知を前記第二の通信制御装置に送信する工程と、
前記第二の通信制御装置の通信制御機能部が、前記受信完了通知を受信後、通信要求を受信したなら、前記第二の加入者情報管理装置の加入者情報記憶部から加入者情報を取得し、当該加入者情報を用いて、前記通信要求を送信した通信端末が通信を行えるように制御する工程と
を含むことを特徴とする通信システムの動作方法。
【発明の詳細な説明】
【技術分野】
【０００１】
本発明は、通信システムおよびその動作方法に関するものである。
【背景技術】
【０００２】
通信事業者は自社の加入者に通信を提供するために、自社の加入者が自社以外の他の通信事業者の通信設備を利用して、通信を行うことを技術的に可能にしている。たとえば、第一の通信事業者と第二の通信事業者の間で、あらかじめ取り決めを行うことによって、第一の通信事業者の加入者は、携帯端末を国外へ持っていっても、第二の通信事業者の通信設備を利用して携帯端末を利用する、国際ローミングを行うことができる。
【先行技術文献】
【特許文献】
【０００３】
【特許文献１】特許第４４１５０９４号公報
【発明の概要】
【発明が解決しようとする課題】
【０００４】
通信事業者は自社の加入者に対して、常時、通信を提供し続ける必要があり、事業者都合で加入者の通信を長期間にわたって利用不可にすることはあってはならない。しかし、自然災害や突発的な通信設備故障といった様々な要因によって、自社の通信設備に障害が発生し、加入者に対して長期間にわたって通信を提供できなくなるという可能性をはらんでいる。そのような状況になったときに、加入者が他の通信事業者の通信提供可能エリアにいるにも関わらず、自社の通信設備が復旧するまで、加入者は通信を行うことができないという課題がある。
【０００５】
本発明は、上記の課題に鑑みてなされたものであり、その目的とするところは、第一の通信ネットワークの第一の通信制御装置が利用不可になり、第一の通信ネットワークを介して通信が行えなくなったなら、その代わりに、第二の通信ネットワークを介して通信を行える通信システムおよびその動作方法を提供することにある。
【課題を解決するための手段】
【０００６】
上記の課題を解決するために、第１の本発明は、１つのエリアに対して通信を提供する第一の通信制御装置および第一の加入者情報管理装置を備える第一の通信ネットワークと、前記エリアに対して通信を提供する第二の通信制御装置および第二の加入者情報管理装置を備える第二の通信ネットワークとを含み、前記第一の加入者情報管理装置は、前記第一の通信制御装置が利用不可になったか否かを監視する死活監視機能部と、前記第一の通信制御装置が利用不可になったなら、前記第二の通信制御装置に対し、前記第一の通信ネットワークの加入者の通信を行うための条件を含む通信許容要求信号を送信する加入者情報管理機能部とを有し、前記第二の通信制御装置は、前記通信許容要求信号内の条件を記憶するとともに、前記第二の通信制御装置で通信要求が受信されたなら、当該通信要求が当該条件を充足するか否かを判定する条件記憶部と、前記通信要求が条件を充足したなら、前記通信要求を送信した通信端末が通信を行えるように制御する通信制御機能部とを有することを特徴とする通信システムをもって解決手段とする。
【０００７】
例えば、前記条件は、前記加入者を示す加入者識別子を含み、前記条件記憶部は、前記条件内の加入者識別子に一致する送信者識別子が前記通信要求に含まれているか否かを判定する。
【０００８】
例えば、前記条件は、前記エリアに含まれる位置を示す位置情報を含み、前記条件記憶部は、前記条件内の位置情報により示される位置と同じ位置から前記通信要求が送信されたことを示す情報が前記通信要求に含まれているか否かを判定する。
【０００９】
第２の本発明は、１つのエリアに対して通信を提供する第一の通信制御装置および第一の加入者情報管理装置を備える第一の通信ネットワークと、前記エリアに対して通信を提供する第二の通信制御装置および第二の加入者情報管理装置を備える第二の通信ネットワークとを含み、前記第一の加入者情報管理装置は、前記第一の通信制御装置が利用不可になったか否かを監視する死活監視機能部と、前記第一の通信制御装置が利用不可になったなら、前記第二の加入者情報管理装置に対し、前記第一の通信ネットワークの加入者の加入者情報を送信する加入者情報管理機能部とを有し、前記第二の加入者情報管理装置は、前記加入者情報を受信し記憶し受信完了通知を前記第二の通信制御装置に送信する加入者情報記憶部を有し、前記第二の通信制御装置は、前記受信完了通知を受信後、通信要求を受信したなら、前記第二の加入者情報管理装置の加入者情報記憶部から加入者情報を取得し、当該加入者情報を用いて、前記通信要求を送信した通信端末が通信を行えるように制御する通信制御機能部を有することを特徴とする通信システムをもって解決手段とする。
【００１０】
第３の本発明は、１つのエリアに対して通信を提供する第一の通信制御装置および第一の加入者情報管理装置を備える第一の通信ネットワークと、前記エリアに対して通信を提供する第二の通信制御装置および第二の加入者情報管理装置を備える第二の通信ネットワークとを含む通信システムの動作方法であって、前記第一の加入者情報管理装置の死活監視機能部が、前記第一の通信制御装置が利用不可になったか否かを監視する工程と、前記第一の加入者情報管理装置の加入者情報管理機能部が、前記第一の通信制御装置が利用不可になったなら、前記第二の通信制御装置に対し、前記第一の通信ネットワークの加入者の通信を行うための条件を含む通信許容要求信号を送信する工程と、前記第二の通信制御装置の条件記憶部が、前記通信許容要求信号内の条件を記憶する工程と、前記第二の通信制御装置の条件記憶部が、前記第二の通信制御装置で通信要求が受信されたなら、前記通信要求が当該条件を充足するか否かを判定する工程と、前記第二の通信制御装置の通信制御機能部が、前記通信要求が条件を充足したなら、前記通信要求を送信した通信端末が通信を行えるように制御する工程とを含むことを特徴とする通信システムの動作方法をもって解決手段とする。
【００１１】
第４の本発明は、１つのエリアに対して通信を提供する第一の通信制御装置および第一の加入者情報管理装置を備える第一の通信ネットワークと、前記エリアに対して通信を提供する第二の通信制御装置および第二の加入者情報管理装置を備える第二の通信ネットワークとを含む通信システムの動作方法であって、前記第一の加入者情報管理装置の死活監視機能部が、前記第一の通信制御装置が利用不可になったか否かを監視する工程と、前記第一の加入者情報管理装置の加入者情報管理機能部が、前記第一の通信制御装置が利用不可になったなら、前記第二の加入者情報管理装置に対し、前記第一の通信ネットワークの加入者の加入者情報を送信する工程と、前記第二の加入者情報管理装置の加入者情報記憶部が、前記加入者情報を受信し記憶し受信完了通知を前記第二の通信制御装置に送信する工程と、前記第二の通信制御装置の通信制御機能部が、前記受信完了通知を受信後、通信要求を受信したなら、前記第二の加入者情報管理装置の加入者情報記憶部から加入者情報を取得し、当該加入者情報を用いて、前記通信要求を送信した通信端末が通信を行えるように制御する工程とを含むことを特徴とする通信システムの動作方法をもって解決手段とする。
【発明の効果】
【００１２】
本発明によれば、第一の通信ネットワークの第一の通信制御装置が利用不可になり、第一の通信ネットワークを介して通信が行えなくなったなら、その代わりに、第二の通信ネットワークを介して通信を行うことができる。
【図面の簡単な説明】
【００１３】
【図１】本実施の形態に係る通信システムの構成を示す図である。
【図２】通信システムの実施例１に関する動作方法を示すシーケンス図である。
【図３】通信システムの実施例２に関する動作方法を示すシーケンス図である。
【図４】通信システムの実施例３に関する動作方法を示すシーケンス図である。
【発明を実施するための形態】
【００１４】
以下、本発明の実施の形態について図面を参照して説明する。
【００１５】
図１は、本実施の形態に係る通信システムの構成を示す図である。 
通信システムは、例えば、複数のエリアの中の、ある１つのエリア１０に対して通信を提供する第一の通信制御装置１１および第一の加入者情報管理装置１２を備える第一の通信ネットワーク１と、エリア１０に対して通信を提供する第二の通信制御装置２１および第二の加入者情報管理装置２２を備える第二の通信ネットワーク２とを含む。 
例えば、通信ネットワーク１、２は別の通信事業者により運用されるものである。
【００１６】
通信端末１０１は、第一の通信ネットワーク１を運営する通信事業者に加入手続きを行った加入者１０１Ｕによりエリア１０で使用され、通常は、第一の通信ネットワーク１を介して、通信を行う。
【００１７】
［実施例１］
図２は、通信システムの実施例１に関する動作方法を示すシーケンス図である。 
第一の加入者情報管理装置１２は、エリア１０で使用される通信端末を使用する加入者に関する加入者情報（ここでは、各加入者を示す加入者識別子を少なくとも含むこととし、以下、エリア１０の加入者情報という）を記憶した加入者情報記憶部１２１と、第一の通信制御装置１１が利用不可になったか否かを監視する死活監視機能部１２２と、第一の通信制御装置１１が利用不可になったなら、第二の通信制御装置２１に対し、第一の通信ネットワーク１の加入者の通信を行うための条件を含む通信許容要求信号を送信する加入者情報管理機能部１２３とを有する。
【００１８】
第二の通信制御装置２１は、通信許容要求信号内の条件を記憶するとともに、第二の通信制御装置２１で通信要求（例えば、通信端末１０１から送信される通信要求）が受信されたなら、通信要求が条件を充足するか否かを判定する条件記憶部２１１と、通信要求が条件を充足したなら、通信要求を送信した通信端末が通信を行えるように制御する通信制御機能部２１２とを有する。
【００１９】
まず、死活監視機能部１２２は、第一の通信制御装置１１に対し、定期的に死活監視信号を送信し（Ｓ１）、第一の通信制御装置１１から応答がなかったなら、つまり、第一の通信制御装置１１が利用不可になったなら、加入者情報管理機能部１２３に対し、第一の通信制御装置１１が利用不可であることを示す監視結果通知を送信する（Ｓ３）。
【００２０】
加入者情報管理機能部１２３は、この監視結果通知を受信したなら、加入者情報記憶部１２１に対し、エリア１０の加入者情報を送信するように要求し（Ｓ５）、加入者情報記憶部１２１は、要求に応じ、加入者情報を加入者情報管理機能部１２３に送信する（Ｓ７）。
【００２１】
加入者情報管理機能部１２３は、加入者情報を受信し（Ｓ７）、この加入者情報を、第一の通信ネットワーク１の加入者の通信を行うための条件（加入者識別子を含む）とし、この条件を含む通信許容要求信号を、第二の通信制御装置２１に送信する（Ｓ９−１）。
【００２２】
通信制御機能部２１２は、通信許容要求信号を受信し（Ｓ９−１）、通信許容要求信号内の条件を条件記憶部２１１に送信し、条件記憶部２１１は条件を記憶する（Ｓ１１）。
【００２３】
ここで、例えば、通信端末１０１は、第一の通信制御装置１１に通信要求を送信する（Ｓ２１）。通信要求は、加入者１０１Ｕを示す送信者識別子を含む。通信端末１０１は、第一の通信制御装置１１から応答がなく、つまり、第一の通信制御装置１１が利用不可で、第一の通信ネットワーク１を介して通信が行えないので、通信要求を第二の通信制御装置２１に送信する（Ｓ２３）。
【００２４】
第二の通信制御装置２１の通信制御機能部２１２は、通信要求を受信したなら（Ｓ２３）、条件記憶部２１１に対し、加入者情報（条件）の検索を要求する（Ｓ２５）。
【００２５】
条件記憶部２１１は、これに応じ、通信要求が条件を充足するか否かを判定する（Ｓ２７−１）。つまり、条件記憶部２１１は、加入者情報（条件）内の加入者識別子に一致する送信者識別子が通信要求に含まれているか否かを判定する（Ｓ２７−１）。なお、判定にはその他の条件を加えてもよい。
【００２６】
通信要求は通信端末１０１から送信されたもので、加入者１０１Ｕを示す送信者識別子を含み、また、条件記憶部２１１は、加入者１０１Ｕを示す加入者識別子を含む加入者情報（条件）を記憶しているので、ここでは、通信要求が条件を充足したと判定される。
【００２７】
条件記憶部２１１は、通信要求が条件を充足したことを示す検索結果を通信制御機能部２１２に送信する（Ｓ２９）。
【００２８】
通信制御機能部２１２は、通信要求が条件を充足した検索結果を通信端末１０１に送信する（Ｓ３１）。また、通信制御機能部２１２は、検索結果が、条件を充足したことを示すものなので、通信端末１０１が通信を行えるように制御する（Ｓ３３）。
【００２９】
したがって、実施例１によれば、第一の通信制御装置１１が利用不可になったなら（Ｓ３）、第二の通信制御装置２１に対し、第一の通信ネットワーク１の加入者の通信を行うための条件を含む通信許容要求信号を送信しておき（Ｓ９−１）、通信要求が受信され（Ｓ２３）、通信要求が条件を充足したなら、つまり、条件内の加入者識別子に一致する送信者識別子が通信要求に含まれているなら、通信要求を送信した通信端末１０１が通信を行えるように制御するので（Ｓ３３）、通信端末１０１は、通信を行えない第一の通信ネットワーク１の代わりに、第二の通信ネットワーク２を介して通信を行うことができる。
【００３０】
［実施例２］
図３は、通信システムの実施例２に関する動作方法を示すシーケンス図である。 
第一の加入者情報管理装置１２は、エリア１０で使用される通信端末を使用する加入者に関する加入者情報（ここでは、エリア１０に含まれる位置を示す位置情報（例えば、都道府県名）を少なくとも含むこととし、以下、エリア１０の加入者情報という）を記憶した加入者情報記憶部１２１を有し、さらに、実施例１と同様に、死活監視機能部１２２と、加入者情報管理機能部１２３とを有する。
【００３１】
実施例１と同様に、第二の通信制御装置２１は、条件記憶部２１１と、通信制御機能部２１２とを有する。
【００３２】
まず、死活監視機能部１２２は、第一の通信制御装置１１に対し、定期的に死活監視信号を送信し（Ｓ１）、第一の通信制御装置１１から応答がなかったなら、つまり、第一の通信制御装置１１が利用不可になったなら、加入者情報管理機能部１２３に対し、第一の通信制御装置１１が利用不可であることを示す監視結果通知を送信する（Ｓ３）。
【００３３】
加入者情報管理機能部１２３は、この監視結果通知を受信したなら、加入者情報記憶部１２１に対し、エリア１０の加入者情報を送信するように要求し（Ｓ５）、加入者情報記憶部１２１は、要求に応じ、加入者情報を加入者情報管理機能部１２３に送信する（Ｓ７）。
【００３４】
加入者情報管理機能部１２３は、加入者情報を受信し（Ｓ７）、この加入者情報を、第一の通信ネットワーク１の加入者の通信を行うための条件（位置情報を含む）とし、この条件を含む通信許容要求信号を、第二の通信制御装置２１に送信する（Ｓ９−２）。
【００３５】
通信制御機能部２１２は、通信許容要求信号を受信し（Ｓ９−２）、通信許容要求信号内の条件を条件記憶部２１１に送信し、条件記憶部２１１は条件を記憶する（Ｓ１１）。
【００３６】
ここで、例えば、通信端末１０１は、第一の通信制御装置１１に通信要求を送信する（Ｓ２１）。通信要求は、エリア１０に含まれる位置を示す位置情報を含む。通信端末１０１は、第一の通信制御装置１１から応答がなく、つまり、第一の通信制御装置１１が利用不可で、第一の通信ネットワーク１を介して通信が行えないので、通信要求を第二の通信制御装置２１に送信する（Ｓ２３）。
【００３７】
第二の通信制御装置２１の通信制御機能部２１２は、通信要求を受信したなら（Ｓ２３）、条件記憶部２１１に対し、加入者情報（条件）の検索を要求する（Ｓ２５）。
【００３８】
条件記憶部２１１は、これに応じ、通信要求が条件を充足するか否かを判定する（Ｓ２７−２）。つまり、条件記憶部２１１は、加入者情報（条件）の位置情報により示される位置と同じ位置から通信要求が送信されたことを示す情報が通信要求に含まれているか否かを判定する（Ｓ２７−２）。なお、判定にはその他の条件を加えてもよい。
【００３９】
通信要求はエリア１０に含まれる位置を示す情報を含み、また、条件記憶部２１１は、エリア１０に含まれる位置を示す位置情報を含む加入者情報（条件）を記憶しているので、ここでは、通信要求が条件を充足したと判定される。
【００４０】
条件記憶部２１１は、通信要求が条件を充足したことを示す検索結果を通信制御機能部２１２に送信する（Ｓ２９）。
【００４１】
通信制御機能部２１２は、通信要求が条件を充足した検索結果を通信端末１０１に送信する（Ｓ３１）。また、通信制御機能部２１２は、検索結果が、条件を充足したことを示すものなので、通信端末１０１が通信を行えるように制御する（Ｓ３３）。
【００４２】
したがって、実施例２によれば、第一の通信制御装置１１が利用不可になったなら（Ｓ３）、第二の通信制御装置２１に対し、第一の通信ネットワーク１の加入者の通信を行うための条件を含む通信許容要求信号を送信しておき（Ｓ９−２）、通信要求が受信され（Ｓ２３）、通信要求が条件を充足したなら、つまり、条件内の位置情報により示される位置と同じ位置から通信要求が送信されたことを示す情報が通信要求に含まれているなら、通信要求を送信した通信端末１０１が通信を行えるように制御するので（Ｓ３３）、通信端末１０１は、通信を行えない第一の通信ネットワーク１の代わりに、第二の通信ネットワーク２を介して通信を行うことができる。
【００４３】
［実施例３］
図４は、通信システムの実施例３に関する動作方法を示すシーケンス図である。 
第一の加入者情報管理装置１２は、エリア１０で使用される通信端末を使用する加入者に関する加入者情報（以下、エリア１０の加入者情報という）を記憶した加入者情報記憶部１２１を有し、さらに、実施例１と同様に、死活監視機能部１２２と、加入者情報管理機能部１２３とを有する。
【００４４】
第二の加入者情報管理装置２２は、加入者情報を受信し記憶し受信完了通知を第二の通信制御装置２１に送信する加入者情報記憶部２２１を有する。
【００４５】
第二の通信制御装置２１は、受信完了通知を受信後、通信要求を受信したなら、第二の加入者情報管理装置２２の加入者情報記憶部２２１から加入者情報を取得し、加入者情報を用いて、通信要求を送信した通信端末が通信を行えるように制御する通信制御機能部２１２を有する。
【００４６】
まず、死活監視機能部１２２は、第一の通信制御装置１１に対し、定期的に死活監視信号を送信し（Ｓ１）、第一の通信制御装置１１から応答がなかったなら、つまり、第一の通信制御装置１１が利用不可になったなら、加入者情報管理機能部１２３に対し、第一の通信制御装置１１が利用不可であることを示す監視結果通知を送信する（Ｓ３）。
【００４７】
加入者情報管理機能部１２３は、この監視結果通知を受信したなら（Ｓ３）、加入者情報記憶部１２１に対し、エリア１０の加入者情報を送信するように要求し（Ｓ５）、加入者情報記憶部１２１は、要求に応じ、加入者情報を加入者情報管理機能部１２３に送信する（Ｓ７）。
【００４８】
加入者情報管理機能部１２３は、加入者情報を受信し（Ｓ７）、この加入者情報を第二の通信制御装置２１に送信する（Ｓ９−３）。
【００４９】
第二の加入者情報管理装置２２の加入者情報記憶部２２１は、加入者情報を受信し記憶し（Ｓ９−３）、受信完了通知を第二の通信制御装置２１に送信する（Ｓ５１）。
【００５０】
ここで、例えば、通信端末１０１は、第一の通信制御装置１１に通信要求を送信する（Ｓ６１）。通信端末１０１は、第一の通信制御装置１１から応答がなく、つまり、第一の通信制御装置１１が利用不可で、第一の通信ネットワーク１を介して通信が行えないので、通信要求を第二の通信制御装置２１に送信する（Ｓ６３）。
【００５１】
第二の通信制御装置２１の通信制御機能部２１２は、通信要求を受信したなら（Ｓ６３）、第二の加入者情報管理装置２２の加入者情報記憶部２２１から加入者情報を取得し（Ｓ６５）、加入者情報を用いて、通信要求を送信した通信端末１０１が通信を行えるように制御する（Ｓ６７）。
【００５２】
したがって、実施例３によれば、第一の通信制御装置１１が利用不可になったなら（Ｓ３）、第二の加入者情報管理装置２２に対し、第一の通信ネットワーク１の加入者の加入者情報を送信しておき（Ｓ９−３）、通信要求を受信したなら、通信制御機能部２１２が、加入者情報記憶部２２１から加入者情報を取得し、加入者情報を用いて、通信要求を送信した通信端末１０１が通信を行えるように制御するので、通信端末１０１は、通信を行えない第一の通信ネットワーク１の代わりに、第二の通信ネットワーク２を介して通信を行うことができる。
【符号の説明】
【００５３】
１  第一の通信ネットワーク
２  第二の通信ネットワーク
１０  エリア
１１  第一の通信制御装置
１２  第一の加入者情報管理憶装置
２１  第二の通信制御装置
２２  第二の加入者情報管理装置
１０１  通信端末
１０１Ｕ  加入者
１２１、２２１  加入者情報記憶部
１２２  死活監視機能部
１２３  加入者情報管理機能部
２１１  条件記憶部
２１２  通信制御機能部
【図１】
2014014036.tif 000003
【図２】
2014014036.tif 000004
【図３】
2014014036.tif 000005
【図４】
2014014036.tif 000006